(57)【要約】【課題】良好なフィット性を実現可能な吸収性物品（１）を提供することにある。【解決手段】下着に装着して使用され、ウイング部（３０）を備え、折り目が幅方向に沿って複数設けられている吸収性物品（１）において、吸収体（１０）は、長手方向に延び吸収性物品（１）の幅方向における中心を通る仮想中心線（Ｙ１）を挟んで仮想中心線（Ｙ１）の両側に一対の直線状の曲げ誘導部（１４）を備え、一対の曲げ誘導部（１４）の幅方向における間隔は、吸収性物品（１）の前側から後側へ向かうほど広くなっており、曲げ誘導部（１４）の前端（１４ａ）は、長手方向において、ウイング部（３０）の長手方向における中央位置（Ｘ２）と中央位置（Ｘ２）よりも後側に位置し中央位置（Ｘ２）から最も近い折り目（Ｆ２）との間に位置することを特徴とする。【選択図】図１
2020000664.tif 000002
【特許請求の範囲】
【請求項１】
下着に装着して使用され、互いに直交する長手方向と幅方向とを有し、吸収体と前記幅方向の両外側に延出したウイング部とを備えた吸収性物品であって、
個別に包装される際に、前記吸収性物品を前記長手方向に折り畳む折り目が前記幅方向に沿って複数設けられている吸収性物品において、
前記吸収体は、前記長手方向に延び前記吸収性物品の前記幅方向における中心を通る仮想中心線を挟んで該仮想中心線の両側に一対の直線状の曲げ誘導部を備え、
一対の前記曲げ誘導部の前記幅方向における間隔は、前記吸収性物品の前側から後側へ向かうほど広くなっており、
前記曲げ誘導部の前端は、前記長手方向において、前記ウイング部の前記長手方向における中央位置と該中央位置よりも後側に位置し前記中央位置から最も近い前記折り目との間に位置することを特徴とする吸収性物品。
【請求項２】
請求項１に記載の吸収性物品であって、
前記曲げ誘導部の誘導部長手方向と直交する直交方向における該曲げ誘導部の幅は、該曲げ誘導部と隣接する前記吸収体の部分の厚み以上であることを特徴とする吸収性物品。
【請求項３】
請求項１又は２に記載の吸収性物品であって、
前記曲げ誘導部を前記後側へ延長した仮想延長線は、前記吸収体の側縁と交わることを特徴とする吸収性物品。
【請求項４】
請求項１〜３のいずれか１項に記載の吸収性物品であって、
前記長手方向に沿った第一仮想帯状領域であって、該第一仮想帯状領域の前記幅方向における一端及び他端の位置が、一対の前記曲げ誘導部の一方の前記幅方向における一端及び他端の位置と一致する第一仮想帯状領域と、
前記長手方向に沿った第二仮想帯状領域であって、該第二仮想帯状領域の前記幅方向における一端及び他端の位置が、一対の前記曲げ誘導部の他方の前記幅方向における一端及び他端の位置と一致する第二仮想帯状領域の各々には、
前記一方の曲げ誘導部及び前記他方の曲げ誘導部よりも後側において、前記長手方向に延びる線状圧搾部が備えられていることを特徴とする吸収性物品。
【請求項５】
請求項１〜４のいずれか１項に記載の吸収性物品であって、
前記長手方向に沿った第一仮想帯状領域であって、該第一仮想帯状領域の前記幅方向における一端及び他端の位置が、一対の前記曲げ誘導部の一方の前記幅方向における一端及び他端の位置と一致する第一仮想帯状領域と、
前記長手方向に沿った第二仮想帯状領域であって、該第二仮想帯状領域の前記幅方向における一端及び他端の位置が、一対の前記曲げ誘導部の他方の前記幅方向における一端及び他端の位置と一致する第二仮想帯状領域の各々には、
前記一方の曲げ誘導部及び前記他方の曲げ誘導部よりも後側において、前記下着に前記吸収性物品を装着するための装着部が備えられていることを特徴とする吸収性物品。
【請求項６】
請求項１〜５のいずれか１項に記載の吸収性物品であって、
前記吸収体を、前記長手方向に沿った２つの仮想線で、３つの領域幅が等しくなるように３分割することにより定義される中央側仮想帯状領域、一端側仮想帯状領域、及び、他端側仮想帯状領域を備え、
一対の前記曲げ誘導部の後端は、それぞれ、前記一端側仮想帯状領域と前記他端側仮想帯状領域に位置していることを特徴とする吸収性物品。
【請求項７】
請求項１〜６のいずれか１項に記載の吸収性物品であって、
前記吸収体の肌側に配置される肌側資材と、前記吸収体の非肌側に配置される非肌側資材と、を有し、
前記肌側資材の前記幅方向における伸度強度は、前記非肌側資材の前記幅方向における伸度強度よりも小さいことを特徴とする吸収性物品。
【請求項８】
請求項１〜７のいずれか１項に記載の吸収性物品であって、
一対の前記曲げ誘導部よりも前側において、一対の該曲げ誘導部を幅方向に繋ぐ曲げ誘導部である繋ぎ誘導部を有することを特徴とする吸収性物品。
【請求項９】
請求項８に記載の吸収性物品であって、
前記繋ぎ誘導部の前端から前記曲げ誘導部の後端までの前記長手方向における長さは、一対の前記曲げ誘導部の一方の幅方向外側端から一対の前記曲げ誘導部の他方の幅方向外側端までの前記幅方向における長さよりも短いことを特徴とする吸収性物品。
【請求項１０】
請求項１〜９のいずれか１項に記載の吸収性物品であって、
前記長手方向に沿った直線状の曲げ誘導部である長手方向誘導部を有し、
前記長手方向誘導部又は該長手方向誘導部の仮想延長線、一対の前記曲げ誘導部の一方又は該一方の仮想延長線、一対の前記曲げ誘導部の他方又は該他方の仮想延長線は、一点で交わることを特徴とする吸収性物品。
【請求項１１】
請求項１〜１０のいずれか１項に記載の吸収性物品であって、
前記曲げ誘導部の後端よりも後側、かつ、複数の前記折り目のうちの最も後側の折り目よりも前側において、
前記吸収性物品の前側から後側へ向かうほど該吸収性物品の幅が拡がる形状を備えていることを特徴とする吸収性物品。
【請求項１２】
請求項１〜１１のいずれか１項に記載の吸収性物品であって、
前記曲げ誘導部の後端は、前記吸収体の前記長手方向における中央位置よりも前側に位置することを特徴とする吸収性物品。
【請求項１３】
請求項１〜１２のいずれか１項に記載の吸収性物品であって、
前記吸収体は、一対の前記曲げ誘導部よりも前側、かつ、前記仮想中心線を挟んで該仮想中心線の両側に、一対の直線状の他の曲げ誘導部を備え、
一対の前記他の曲げ誘導部の前記幅方向における間隔は、前記吸収性物品の前側から後側へ向かうほど広くなっており、
前記他の曲げ誘導部の前端は、前記長手方向において、前記ウイング部の前記長手方向における中央位置よりも前側に位置し、
前記曲げ誘導部の前記仮想中心線に対する傾き角は、前記他の曲げ誘導部の前記仮想中心線に対する傾き角よりも大きいことを特徴とする吸収性物品。
【請求項１４】
請求項１〜１３のいずれか１項に記載の吸収性物品であって、
前記吸収体は、一対の前記曲げ誘導部よりも前側、かつ、前記仮想中心線を挟んで該仮想中心線の両側に、一対の直線状の他の曲げ誘導部を備え、
一対の前記他の曲げ誘導部の前記幅方向における間隔は、前記吸収性物品の前側から後側へ向かうほど広くなっており、
前記他の曲げ誘導部の前端は、前記長手方向において、前記ウイング部の前記長手方向における中央位置よりも前側に位置し、
前記曲げ誘導部の誘導部長手方向と直交する直交方向における該曲げ誘導部の幅は、前記他の曲げ誘導部の誘導部長手方向と直交する直交方向における該他の曲げ誘導部の幅よりも大きいことを特徴とする吸収性物品。
【請求項１５】
請求項１〜１４のいずれか１項に記載の吸収性物品であって、
前記吸収体の肌側に配置される肌側資材を有し、
前記曲げ誘導部の前端よりも後側かつ前記曲げ誘導部の後端よりも前側であって一対の前記曲げ誘導部の間に、前記肌側資材を貫通し少なくとも前記吸収体まで達する貫通穴が備えられていることを特徴とする吸収性物品。
【発明の詳細な説明】
【技術分野】
【０００１】
本発明は、吸収性物品に関する。
【背景技術】
【０００２】
下着に装着して使用され、経血などの排泄液を吸収する吸収性物品として生理用ナプキンが知られている。同ナプキンは、互いに直交する長手方向と幅方向と厚さ方向とを有している。また、同ナプキンは、トップシートとバックシートとの間に、液体吸収性繊維を主材とする吸収体を有している。
【０００３】
また、このようなナプキンとして、装着者の身体（会陰部等）へのナプキンのフィット性を向上させるために、曲げ誘導部が設けられているものがある（例えば、特許文献１参照）。
【先行技術文献】
【特許文献】
【０００４】
【特許文献１】特開２０１２−９５６８５号公報
【発明の概要】
【発明が解決しようとする課題】
【０００５】
特許文献１においては、前記曲げ誘導部として、Ｙ字形状の圧搾（エンボス加工）部が設けられていた。そして、当該圧搾部に誘導されて（を起点として）ナプキンが曲がることにより三角錐型の変形をナプキンに形成するようにしていた。しかしながら、当該ナプキンにおいては、ナプキンのフィット性が不十分であり、液漏れが生じる場合があった。
【０００６】
本発明は、上記のような問題に鑑みてなされたものであって、その目的とするところは、良好なフィット性を実現可能な吸収性物品を提供することにある。
【課題を解決するための手段】
【０００７】
上記目的を達成するための主たる発明は、
下着に装着して使用され、互いに直交する長手方向と幅方向とを有し、吸収体と前記幅方向の両外側に延出したウイング部とを備えた吸収性物品であって、
個別に包装される際に、前記吸収性物品を前記長手方向に折り畳む折り目が前記幅方向に沿って複数設けられている吸収性物品において、
前記吸収体は、前記長手方向に延び前記吸収性物品の前記幅方向における中心を通る仮想中心線を挟んで該仮想中心線の両側に一対の直線状の曲げ誘導部を備え、
一対の前記曲げ誘導部の前記幅方向における間隔は、前記吸収性物品の前側から後側へ向かうほど広くなっており、
前記曲げ誘導部の前端は、前記長手方向において、前記ウイング部の前記長手方向における中央位置と該中央位置よりも後側に位置し前記中央位置から最も近い前記折り目との間に位置することを特徴とする吸収性物品である。
【０００８】
本発明の他の特徴については、本明細書及び添付図面の記載により明らかにする。
【発明の効果】
【０００９】
本発明によれば、良好なフィット性を実現可能な吸収性物品を提供することができる。
【図面の簡単な説明】
【００１０】
【図１】ナプキン１を厚さ方向の肌側から見た概略平面図である。
【図２】ナプキン１を厚さ方向の非肌側から見た概略平面図である。
【図３】ナプキン１の概略断面である。
【図４】吸収体１０を厚さ方向の肌側から見た概略平面図である。
【図５】中央側仮想帯状領域１０ｄ、一端側仮想帯状領域１０ｅ、及び、他端側仮想帯状領域１０ｆを説明するための説明図である。
【図６】曲げ誘導部１４に対応した仮想帯状領域を説明するための、ナプキン１を厚さ方向の肌側から見た説明図である。
【図７】曲げ誘導部１４に対応した仮想帯状領域を説明するための、ナプキン１を厚さ方向の非肌側から見た説明図である。
【図８】曲げ誘導部１４により囲まれる領域に設けられた貫通穴４２を示した概略拡大図である。
【図９】曲げ誘導部１４に誘導されてナプキン１が折れ曲がった様子を示したイメージ図である。
【図１０】第二実施形態に係るナプキン１を厚さ方向の肌側から見た概略平面図である。
【図１１】第二実施形態に係るナプキン１を厚さ方向の非肌側から見た概略平面図である。
【図１２】第二実施形態に係る吸収体１０を厚さ方向の肌側から見た概略平面図である。
【発明を実施するための形態】
【００１１】
本明細書及び添付図面の記載により、少なくとも以下の事項が明らかとなる。
【００１２】
下着に装着して使用され、互いに直交する長手方向と幅方向とを有し、吸収体と前記幅方向の両外側に延出したウイング部とを備えた吸収性物品であって、
個別に包装される際に、前記吸収性物品を前記長手方向に折り畳む折り目が前記幅方向に沿って複数設けられている吸収性物品において、
前記吸収体は、前記長手方向に延び前記吸収性物品の前記幅方向における中心を通る仮想中心線を挟んで該仮想中心線の両側に一対の直線状の曲げ誘導部を備え、
一対の前記曲げ誘導部の前記幅方向における間隔は、前記吸収性物品の前側から後側へ向かうほど広くなっており、
前記曲げ誘導部の前端は、前記長手方向において、前記ウイング部の前記長手方向における中央位置と該中央位置よりも後側に位置し前記中央位置から最も近い前記折り目との間に位置することを特徴とする吸収性物品。
【００１３】
このような吸収性物品によれば、良好なフィット性を実現可能な吸収性物品を提供することが可能となる。
【００１４】
かかる吸収性物品であって、前記曲げ誘導部の誘導部長手方向と直交する直交方向における該曲げ誘導部の幅は、該曲げ誘導部と隣接する前記吸収体の部分の厚み以上であることが望ましい。
【００１５】
このような吸収性物品によれば、該曲げ誘導部を起点として吸収性物品に谷折りが形成される際に、吸収体同士がぶつかり合うことを適切に防止して、確実に上凸変形を実現することが可能となる。
【００１６】
かかる吸収性物品であって、前記曲げ誘導部を前記後側へ延長した仮想延長線は、前記吸収体の側縁と交わることが望ましい。
【００１７】
このような吸収性物品によれば、一対の曲げ誘導部の内側の内側領域（上凸変形部分の範囲）が広くなり、会陰部に上凸変形部分をより適切にフィットさせることができるので、より良好なフィット性を実現可能な吸収性物品を提供することが可能となる。
【００１８】
かかる吸収性物品であって、前記長手方向に沿った第一仮想帯状領域であって、該第一仮想帯状領域の前記幅方向における一端及び他端の位置が、一対の前記曲げ誘導部の一方の前記幅方向における一端及び他端の位置と一致する第一仮想帯状領域と、
前記長手方向に沿った第二仮想帯状領域であって、該第二仮想帯状領域の前記幅方向における一端及び他端の位置が、一対の前記曲げ誘導部の他方の前記幅方向における一端及び他端の位置と一致する第二仮想帯状領域の各々には、
前記一方の曲げ誘導部及び前記他方の曲げ誘導部よりも後側において、前記長手方向に延びる線状圧搾部が備えられていることが望ましい。
【００１９】
このような吸収性物品によれば、曲げ誘導部よりも後側の吸収性物品の部分がしっかりと面で保たれ（立ち上がった形状が安定的に維持され）、このことによって、一対の曲げ誘導の内側領域（前記上凸変形部分）の立ち上がりを安定させることが可能となる。
【００２０】
かかる吸収性物品であって、前記長手方向に沿った第一仮想帯状領域であって、該第一仮想帯状領域の前記幅方向における一端及び他端の位置が、一対の前記曲げ誘導部の一方の前記幅方向における一端及び他端の位置と一致する第一仮想帯状領域と、
前記長手方向に沿った第二仮想帯状領域であって、該第二仮想帯状領域の前記幅方向における一端及び他端の位置が、一対の前記曲げ誘導部の他方の前記幅方向における一端及び他端の位置と一致する第二仮想帯状領域の各々には、
前記一方の曲げ誘導部及び前記他方の曲げ誘導部よりも後側において、前記下着に前記吸収性物品を装着するための装着部が備えられていることが望ましい。
【００２１】
このような吸収性物品によれば、曲げ誘導部よりも後側の吸収性物品の部分がしっかりと面で保たれ（立ち上がった形状が安定的に維持され）、このことによって、一対の曲げ誘導の内側領域（前記上凸変形部分）の立ち上がりを安定させることが可能となる。
【００２２】
かかる吸収性物品であって、前記吸収体を、前記長手方向に沿った２つの仮想線で、３つの領域幅が等しくなるように３分割することにより定義される中央側仮想帯状領域、一端側仮想帯状領域、及び、他端側仮想帯状領域を備え、
一対の前記曲げ誘導部の後端は、それぞれ、前記一端側仮想帯状領域と前記他端側仮想帯状領域に位置していることが望ましい。
【００２３】
このような吸収性物品によれば、一対の曲げ誘導部の内側の内側領域（上凸変形部分の範囲）が広くなり、会陰部に上凸変形部分をより適切にフィットさせることができるので、より良好なフィット性を実現可能な吸収性物品を提供することが可能となる。
【００２４】
かかる吸収性物品であって、前記吸収体の肌側に配置される肌側資材と、前記吸収体の非肌側に配置される非肌側資材と、を有し、
前記肌側資材の前記幅方向における伸度強度は、前記非肌側資材の前記幅方向における伸度強度よりも小さいことが望ましい。
【００２５】
このような吸収性物品によれば、一対の曲げ誘導部の内側の内側領域をより確実に上凸変形とすることが可能となる。
【００２６】
かかる吸収性物品であって、一対の前記曲げ誘導部よりも前側において、一対の該曲げ誘導部を幅方向に繋ぐ曲げ誘導部である繋ぎ誘導部を有することが望ましい。
【００２７】
このような吸収性物品によれば、より確実に、上凸変形部分が形成され、吸収性物品のフィット性を向上させることが可能となる。
【００２８】
かかる吸収性物品であって、前記繋ぎ誘導部の前端から前記曲げ誘導部の後端までの前記長手方向における長さは、一対の前記曲げ誘導部の一方の幅方向外側端から一対の前記曲げ誘導部の他方の幅方向外側端までの前記幅方向における長さよりも短いことが望ましい。
【００２９】
このような吸収性物品によれば、上凸変形部分を、全体的になだらかな盛り上がりとするのではなく、会陰部にピンポイントでフィットする盛り上がりとすることが可能となる。
【００３０】
かかる吸収性物品であって、前記長手方向に沿った直線状の曲げ誘導部である長手方向誘導部を有し、
前記長手方向誘導部又は該長手方向誘導部の仮想延長線、一対の前記曲げ誘導部の一方又は該一方の仮想延長線、一対の前記曲げ誘導部の他方又は該他方の仮想延長線は、一点で交わることが望ましい。
【００３１】
このような吸収性物品によれば、より確実に、上凸変形部分が形成され、吸収性物品のフィット性を向上させることが可能となる。
【００３２】
かかる吸収性物品であって、前記曲げ誘導部の後端よりも後側、かつ、複数の前記折り目のうちの最も後側の折り目よりも前側において、
前記吸収性物品の前側から後側へ向かうほど該吸収性物品の幅が拡がる形状を備えていることが望ましい。
【００３３】
このような吸収性物品によれば、経血の横漏れが生じ難く、また、横漏れが発生する不安感を使用者に生じさせることを抑止することができる。
【００３４】
かかる吸収性物品であって、前記曲げ誘導部の後端は、前記吸収体の前記長手方向における中央位置よりも前側に位置することが望ましい。
【００３５】
このような吸収性物品によれば、上凸変形部分を、全体的になだらかな盛り上がりとするのではなく、会陰部にピンポイントでフィットする盛り上がりとすることが可能となる。
【００３６】
かかる吸収性物品であって、前記吸収体は、一対の前記曲げ誘導部よりも前側、かつ、前記仮想中心線を挟んで該仮想中心線の両側に、一対の直線状の他の曲げ誘導部を備え、
一対の前記他の曲げ誘導部の前記幅方向における間隔は、前記吸収性物品の前側から後側へ向かうほど広くなっており、
前記他の曲げ誘導部の前端は、前記長手方向において、前記ウイング部の前記長手方向における中央位置よりも前側に位置し、
前記曲げ誘導部の前記仮想中心線に対する傾き角は、前記他の曲げ誘導部の前記仮想中心線に対する傾き角よりも大きいことが望ましい。
【００３７】
このような吸収性物品によれば、上凸変形部分を会陰部にピンポイントでフィットする盛り上がりとしつつ、経血口から幅方向に移動する経血を他の曲げ誘導部で適切にブロックすることが可能となる。
【００３８】
かかる吸収性物品であって、前記吸収体は、一対の前記曲げ誘導部よりも前側、かつ、前記仮想中心線を挟んで該仮想中心線の両側に、一対の直線状の他の曲げ誘導部を備え、
一対の前記他の曲げ誘導部の前記幅方向における間隔は、前記吸収性物品の前側から後側へ向かうほど広くなっており、
前記他の曲げ誘導部の前端は、前記長手方向において、前記ウイング部の前記長手方向における中央位置よりも前側に位置し、
前記曲げ誘導部の誘導部長手方向と直交する直交方向における該曲げ誘導部の幅は、前記他の曲げ誘導部の誘導部長手方向と直交する直交方向における該他の曲げ誘導部の幅よりも大きいことが望ましい。
【００３９】
このような吸収性物品によれば、一対の曲げ誘導部の内側の内側領域に上凸変形部分を確実に形成しつつ、経血口から幅方向に移動し他の曲げ誘導部に至った経血が、当該他の曲げ誘導部を越えて幅方向外側へ漏れてしまうことを抑制することが可能となる。
【００４０】
かかる吸収性物品であって、前記吸収体の肌側に配置される肌側資材を有し、
前記曲げ誘導部の前端よりも後側かつ前記曲げ誘導部の後端よりも前側であって一対の前記曲げ誘導部の間に、前記肌側資材を貫通し少なくとも前記吸収体まで達する貫通穴が備えられていることが望ましい。
【００４１】
このような吸収性物品によれば、曲げ誘導部により囲まれる領域に形成された上凸変形部分が会陰部に適切にフィットした状態で、経血口から会陰部に至った経血を、上凸変形部分に位置する貫通穴を経由させて、適切に吸収体に吸収させることが可能となる。
【００４２】
＝＝＝本実施の形態に係る生理用ナプキン１について＝＝＝
ショーツ等の下着に装着して使用される吸収性物品の一例として生理用ナプキン１（以下、単にナプキン１とも呼ぶ）について説明する。
【００４３】
図１は、ナプキン１を厚さ方向の肌側から見た概略平面図である。図２はナプキン１を厚さ方向の非肌側から見た概略平面図である。図３は、ナプキン１の概略断面である。図４は、吸収体１０を厚さ方向の肌側から見た概略平面図である。また、以下の説明では、図１〜図４に示すように、各方向を定義する。すなわち、ナプキン１の製品長手方向に沿った「長手方向」と、ナプキン１の製品短手方向に沿って長手方向と直交する「幅方向」と、長手方向及び幅方向とそれぞれ直交する「厚さ方向」と、を定義する。長手方向は、ナプキン１の使用時において使用者の腹側となる方向である「前側」と、使用者の背側となる方向である「後側」とを有する。厚さ方向は、ナプキン１の着用時に着用者の肌と当接する側（図３において上側）である「肌側」と、その逆側（図３において下側）である「非肌側」とを有する。
【００４４】
ナプキン１は、平面視縦長形状のシート状部材であり、一対のサイドシート２と、トップシート３と、セカンドシート４と、吸収体１０と、バックフィルム６と、バックシート５とが厚さ方向の肌側から非肌側へと順に積層されて形成されている（図３参照）。そして、これら各部材２，３，４，１０，６，５は、それぞれ、厚さ方向に隣接する部材と、ホットメルト接着剤等の接着剤（不図示）で接合されている。なお、接着剤の塗布パターンとしては、Ωパターンやスパイラルパターン、ストライプパターン等を例示できる。また、ナプキン１は、吸収体１０が設けられたナプキン本体部２０と、ナプキン本体部２０の長手方向中央領域から幅方向の両外側に延出した一対のウイング部３０とを有する。また、ナプキン本体部２０（ナプキン１）の長手方向における後側（より具体的には、後述する曲げ誘導部１４の後端１４ｂよりも後側、かつ、後述する第３折り目Ｆ３よりも前側）においては、ナプキン１の前側から後側に向かうほどナプキン１の幅が拡がる形状を備えている。
【００４５】
トップシート３及びバックシート５は、液透過性のシートであり、エアスルー不織布等を例示できる。バックフィルム６は、液不透過性のシートであり、ポリエチレン（ＰＥ）の樹脂フィルム等を例示できる。サイドシート２は、液透過性のシートであっても液不透過性のシートであってもよく、トップシート３と同じエアスルー不織布等を例示できる。トップシート３及びバックシート５は、平面サイズが吸収体１０よりも大きくされている。そして、図１及び図２に示されるように、サイドシート２及びトップシート３と、バックシート５との外周縁部同士が接着又は溶着で接合されることにより、これらのシート同士の間に吸収体１０が保持されている。また、一対のサイドシート２は、トップシート３の幅方向の両側部から幅方向の外側に延出しており、バックシート５と共に一対のウイング部３０を形成する。
【００４６】
セカンドシート４は、液透過性のシートであり、トップシート３と同じエアスルー不織布等を例示できる。セカンドシート４は、吸収体１０の肌側面上に設けられ、経血等の排泄物の逆戻り防止、排泄物の拡散向上、及びクッション性の向上等の役割を果たす。但しナプキン１がセカンドシート４を有さなくてもよい。
【００４７】
なお、本実施の形態においては、吸収体１０の肌側に配置される肌側資材（本実施の形態においては、トップシート３とセカンドシート４）の幅方向における伸度強度（トップシート３とセカンドシート４の伸度強度の合計）は、非肌側資材（本実施の形態においては、バックシート５とバックフィルム６）の幅方向における伸度強度（バックシート５とバックフィルム６の伸度強度の合計）よりも小さくなっている。
【００４８】
なお、肌側資材と非肌側資材の伸度強度の比較（評価）は周知の方法で行えばよい。例えば、吸収性物品（生理用ナプキン）を、有機溶媒を用いて、吸収性コアと肌側資材（トップシート、セカンドシート、コアラップシートを含む。ただし存在しない場合は１枚もしくは２枚のシートとなる）を分離する。この際、肌側資材間を接着している接着剤も溶かすことで分離する。同様の手法で非肌側資材を分離する。そして、有機溶剤が揮発するまで（例えば２４時間程度）自然乾燥させる。
【００４９】
なお、かかる際には、表面シート〜吸収体まで圧搾している部分は比較対象から除外される。
【００５０】
肌側資材を長さ５０ｍｍ、幅２５ｍｍに切り、重ねた上でインストロンのチャック間に取り付ける。そして、１００ｍｍ/ｍｉｎの速度で５％伸長したときの強度を測定する。同様の条件で非肌面資材も測定し、その強度の結果を対比する。
【００５１】
ナプキン本体部２０の厚さ方向における非肌側面（つまり、バックシート５の非肌側面）には、長手方向に沿った複数の帯状の領域に適宜な接着剤ＨＭＡを塗布することにより形成された本体部用粘着部２１（装着部に相当）が設けられている。この本体部用粘着部２１は、下着にナプキン１を装着するためのものであり、ナプキン１の使用時に本体部用粘着部２１は下着の肌側面に貼り付けられる。これにより、ナプキン１は下着に固定される。本実施形態では、図２に示されるように、長手方向の前側に配置された前側本体部用粘着部２１ａと、長手方向の後側に配置された後側本体部用粘着部２１ｂと、長手方向の後端部であって後側本体部用粘着部２１ｂの幅方向外側に設けられた後端本体部用粘着部２１ｃが設けられている。
【００５２】
同様に各ウイング部３０の厚さ方向における非肌側面（つまり、バックシート５の非肌側面）には、ウイング部用粘着部３１が設けられている。ナプキン１の使用時にウイング部３０は非肌側に折り曲げられ、ウイング部用粘着部３１は下着の非肌側面に貼り付けられ、これによりナプキン１は下着に固定される。図２に示すウイング部用粘着部３１は長手方向に長辺を有する長方形状の粘着部である。なお、上記の本体部用粘着部２１及びウイング部用粘着部３１の形状、数、大きさ等は図２に示すものに限らない。
【００５３】
吸収体１０は、経血等の液体（排泄物）を吸収して内部に保持する部材であり、吸収性コア１２と、吸収性コア１２を包むシート部材１１とを有する。吸収性コア１２は、液体吸収性繊維を有するものであればよく、パルプ繊維等の液体吸収性繊維に高吸収性ポリマー（所謂ＳＡＰ）を含有するものを例示できる。シート部材１１は、液透過性のシートであり、ティッシュペーパー等を例示できる。吸収性コア１２の肌側面及び非肌側面が一枚のシート部材１１で包むようにして覆われている。吸収性コア１２とシート部材１１は接着剤によって互いに接合されていても接合されていなくてもよいとする。
【００５４】
吸収体１０は、一部（符号１０ａで示した高坪量部。図４参照）を除いて、所定の坪量を有するように形成されている。ここで、坪量とは、単位面積当たりの質量のことであり、吸収体１０は、高坪量部１０ａを除いたほぼ全領域において坪量がほぼ均一となるように形成されている。なお、本実施形態の吸収体１０における所定の坪量の大きさは１００〜５００（ｇ／ｍｍ２）程度（一方、高秤量部は７５０（ｇ／ｍｍ２）程度）である。
【００５５】
また、本実施の形態に係るナプキン１には、複数箇所に曲げ誘導部１４が備えられており、この曲げ誘導部１４における吸収体１０の坪量は、前記所定の坪量よりも低くなっている。より具体的には、当該曲げ誘導部１４における吸収体１０の坪量は、いずれも実質的にゼロ（ｇ／ｍｍ２）となっている。すなわち、吸収体１０のうち曲げ誘導部１４に相当する領域が切り欠かれた状態となっている。なお、曲げ誘導部１４については、後に詳述する。
【００５６】
また、ナプキン１には、厚さ方向の肌側から非肌側に向かって凹んだ部位であり、隣接する部位に比べて液体吸収性繊維の密度の高い圧搾部４０（凹部）が複数設けられている。圧搾部４０では、トップシート３、セカンドシート４、及び吸収体１０の厚さ方向の全域が、厚さ方向の肌側から圧搾（エンボス加工）され、接合一体化されている。但し、上記に限らず、吸収体１０にのみ圧搾部４０を設けたり、トップシート３から吸収性コア１２の厚さ方向肌側の一部までにしか圧搾部４０を設けなかったり、バックシート５から吸収体１０に圧搾部４０を設けたりしてもよい。また、各圧搾部４０の配置パターンも図１に示すものに限らない。
【００５７】
吸収体１０において、圧搾部４０とそれに隣接する部位とでは、液体吸収性繊維の坪量が等しいとし、圧搾部４０では液体吸収性繊維の圧搾によってその密度が高くなったとする。なお、圧搾部４０とそれに隣接する部位との液体吸収性繊維の密度の比較は周知の方法で行えばよい。例えば、吸収体１０を厚さ方向に切った断面を電子顕微鏡等により撮影し、圧搾部４０と隣接する部位とで繊維の密度差を目視で比較したり、各部位の繊維の本数で比較したりするとよい。その他、圧搾部４０と隣接する部位とを吸収体１０から切り出して、各部位の質量を面積で除することで坪量（ｇ／ｃｍ２）を算出し、その坪量を厚さで除することで繊維密度（ｇ／ｃｍ３）を算出して比較してもよい。
【００５８】
また、本実施形態のナプキン１は、製品として市場に出荷される際の個別包装状態において、長手方向の所定の位置に設定された第１折り目Ｆ１、第２折り目Ｆ２、及び第３折り目Ｆ３において長手方向に四つ折りに折り畳まれる。すなわち、個別に包装される際に、ナプキン１を長手方向に折り畳む折り目が幅方向に沿って複数（３つ）設けられている。第１折り目Ｆ１は、図１に示されるように長手方向の前側（ウイング部３０よりも前側）において、幅方向に沿って形成されている。また、第２折り目Ｆ２は、長手方向の中央付近（ウイング部３０よりも後側であって、ナプキン１（吸収体１０）の長手方向における中央位置Ｘ１よりも若干後側）において、幅方向に沿って形成されている。また、第３折り目Ｆ３は、長手方向の後側において、幅方向に沿って形成されている。
【００５９】
＜＜＜曲げ誘導部について＞＞＞
前述した通り、ナプキン１（吸収体１０）には、曲げ誘導部１４が複数備えられている。ここでは、当該曲げ誘導部１４について、図１、図２、図４〜図９を用いて詳しく説明する。図５は、中央側仮想帯状領域１０ｄ、一端側仮想帯状領域１０ｅ、及び、他端側仮想帯状領域１０ｆを説明するための説明図である。図８は、曲げ誘導部１４により囲まれる領域に設けられた貫通穴４２を示した概略拡大図である。図９は、曲げ誘導部１４に誘導されてナプキン１が折れ曲がった様子を示したイメージ図である。図６及び図７については、後述する。
【００６０】
本実施の形態においては、曲げ誘導部として、一対の（二つの）直線状の曲げ誘導部１４が備えられている。この一対の直線状の曲げ誘導部１４は、図１及び図４に示すように、長手方向に延びナプキン１の幅方向における中心を通る仮想中心線Ｙ１を挟んで該仮想中心線Ｙ１の両側に備えられ、当該仮想中心線Ｙ１を対称軸として線対称となっている。
【００６１】
また、双方の曲げ誘導部１４は、図１及び図４に示すように、仮想中心線Ｙ１に対して傾いており、ナプキン１の前側から後側へ向かうほど幅方向の外側へ位置するようになっている。そのため、一対の前記曲げ誘導部１４の幅方向における間隔は、ナプキン１の前側から後側へ向かうほど広くなっている。
【００６２】
なお、曲げ誘導部１４の傾きについては、図４に示すように、曲げ誘導部１４を後側へ延長した仮想延長線Ｌ１が吸収体１０の後縁１０ｂではなく側縁１０ｃと交わる程度に傾いている。そのため、図５に示すように、吸収体１０を、長手方向に沿った２つの仮想線Ｙ２、Ｙ３で、３つの領域幅が等しくなるように３分割することにより、中央側仮想帯状領域１０ｄ、一端側仮想帯状領域１０ｅ、及び、他端側仮想帯状領域１０ｆを定義したときに、一対の曲げ誘導部１４の後端１４ｂは、それぞれ、（中央側仮想帯状領域１０ｄではなく）一端側仮想帯状領域１０ｅと他端側仮想帯状領域１０ｆに位置している。
【００６３】
また、曲げ誘導部１４の前端１４ａは、長手方向において、ウイング部３０の長手方向における中央位置Ｘ２と該中央位置Ｘ２よりも後側に位置し中央位置Ｘ２から最も近い前記折り目（すなわち、第２折り目Ｆ２）との間に位置している。なお、本実施の形態においては、ナプキン１（吸収体１０）の長手方向における中央位置Ｘ１が第２折り目Ｆ２よりも前側に位置しており、前記前端１４ａは、当該中央位置Ｘ１よりも前側に位置している。また、曲げ誘導部１４の後端１４ｂも、当該中央位置Ｘ１よりも前側に位置している。
【００６４】
また、曲げ誘導部１４に対応した領域には、前述した圧搾部４０及び本体部用粘着部２１が設けられている。
【００６５】
図６及び図７は、曲げ誘導部１４に対応した仮想帯状領域を説明するための説明図であり、図６は図１に、図７は図２に、それぞれ対応した図となっている。図６及び図７においては、一対の曲げ誘導部１４の一方（左側の曲げ誘導部１４であって、第一曲げ誘導部１５とも呼ぶ）に対応した仮想帯状領域を第一仮想帯状領域Ｒ１とし、他方（右側の曲げ誘導部１４であって、第二曲げ誘導部１６とも呼ぶ）に対応した仮想帯状領域を第二仮想帯状領域Ｒ２としている。
【００６６】
ここで、第一仮想帯状領域Ｒ１は、図６及び図７に示すように、長手方向に沿った帯状領域であって、該帯状領域の幅方向における一端及び他端の位置が、第一曲げ誘導部１５の幅方向における一端及び他端の位置と一致する帯状領域と定義される。同様に、第二仮想帯状領域Ｒ２は、長手方向に沿った帯状領域であって、該帯状領域の幅方向における一端及び他端の位置が、第二曲げ誘導部１６の幅方向における一端及び他端の位置と一致する帯状領域と定義される。そして、第一仮想帯状領域Ｒ１と第二仮想帯状領域の各々には、第一曲げ誘導部１５及び第二曲げ誘導部１６よりも後側において、前記圧搾部４０として長手方向に延びる線状圧搾部４１が備えられ（図６参照）、下着にナプキン１を装着するための装着部として本体部用粘着部２１（後側本体部用粘着部２１ｂ）が備えられている（図７参照）。
【００６７】
また、曲げ誘導部１４の誘導部長手方向と直交する直交方向における該曲げ誘導部１４の幅Ｗ１（図４参照）は、十分大きな幅となっており、本実施の形態においては、該曲げ誘導部１４と隣接する吸収体１０の部分の厚み以上となっている。
【００６８】
また、図８に示すように、曲げ誘導部１４により囲まれる領域、より具体的には、曲げ誘導部１４の前端１４ａよりも後側かつ曲げ誘導部の後端１４ｂよりも前側であって一対の曲げ誘導部１４の間には、肌側資材（トップシート３及びセカンドシート４）を貫通し少なくとも吸収体１０まで達する貫通穴４２が多数設けられている。この貫通穴４２の配置パターンについては、図８に示すものに限定されない。また、曲げ誘導部１４により囲まれる領域以外の領域に当該貫通穴４２が設けられていてもよく、本実施の形態においても設けられている（記載については省略している）。
【００６９】
上述したとおり、本実施の形態に係る吸収体１０は、長手方向に延びナプキン１の幅方向における中心を通る仮想中心線Ｙ１を挟んで該仮想中心線Ｙ１の両側に一対の直線状の曲げ誘導部１４を備え、一対の曲げ誘導部１４の幅方向における間隔は、ナプキン１の前側から後側へ向かうほど広くなっており、曲げ誘導部１４の前端１４ａは、長手方向において、ウイング部３０の長手方向における中央位置Ｘ２と該中央位置Ｘ２よりも後側に位置し中央位置Ｘ２から最も近い前記折り目（すなわち、第２折り目Ｆ２）との間に位置している。そのため、良好なフィット性を実現可能なナプキン１を提供することが可能となる。
【００７０】
すなわち、一対の直線状の曲げ誘導部１４を、双方の間隔が後ほど広くなるように仮想中心線Ｙ１の両側に配置することにより、ナプキン１装着時に、当該曲げ誘導部１４に誘導されてナプキン１が図９のように折れ曲がる。つまり、曲げ誘導部１４を起点として、図９に示すような谷折りが形成されることとなる。また、中央位置Ｘ２と第２折り目Ｆ２の間は、ナプキン１装着時にナプキン１が太腿から最も力を受ける箇所であり、太腿からの当該力が谷折りとなった箇所にかかることで、一対の曲げ誘導部１４の内側の（曲げ誘導部１４の間の）内側領域が適切に盛り上がる（換言すれば、立ち上がる。以下、このような盛り上がる事象を上凸変形とも呼ぶ）。さらに、曲げ誘導部１４の前端１４ａは間隔が最も狭くなっており、間隔が狭くなった部分は変形が安定しやすい。したがって、変形が安定しやすい部分に、太腿からの力が加わることになるため、安定した上凸変形が形成されることとなる。
【００７１】
中央位置Ｘ２と第２折り目Ｆ２で上記のように定義される曲げ誘導部１４の長手方向における位置は、ナプキン１装着時に、会陰部に対応する位置となる。そのため、前記内側領域に形成された盛り上がり（上凸変形部分）が、会陰部に適切にフィットし、ナプキン１と体の間の隙間が埋まるので、排血口からの経血が会陰部を伝いにくくすることができる。すなわち、仮にナプキン１の会陰部へのフィット性が良好でないと、排血口からの経血が会陰部を伝って装着者に不快感を与えるだけでなく、会陰部における経血の横伝い（及びこれによる横漏れ）も発生しやすくなる。これに対し、本実施の形態においては、会陰部へ至った経血が会陰部にフィットしたナプキン１に適切に吸収されるため、上述した不快感や横漏れの発生を抑えることが可能となる。
【００７２】
また、本実施の形態においては、曲げ誘導部１４の誘導部長手方向と直交する直交方向における該曲げ誘導部１４の幅Ｗ１は、該曲げ誘導部１４と隣接する吸収体１０の部分の厚み以上であることとした。
【００７３】
そのため、該曲げ誘導部１４を起点としてナプキン１に谷折りが形成される際に、吸収体１０同士がぶつかり合うことを適切に防止して、確実に上凸変形を実現することが可能となる。
【００７４】
また、本実施の形態においては、曲げ誘導部１４を後側へ延長した仮想延長線Ｌ１が吸収体１０の側縁１０ｃと交わることとした。すなわち、曲げ誘導部１４の傾きについては、仮想延長線Ｌ１が吸収体１０の後縁１０ｂではなく側縁１０ｃと交わる程度に傾いていることとした。
【００７５】
仮に、曲げ誘導部１４が、仮想延長線Ｌ１が吸収体１０の後縁１０ｂと交わる程度しか傾いていない場合には、一対の曲げ誘導部１４の内側の内側領域（上凸変形部分の範囲）が狭くなり、当該上凸変形部分を会陰部に適切にフィットさせることが困難になる。これに対し、本実施の形態においては、仮想延長線Ｌ１が十分に傾いているため、一対の曲げ誘導部１４の内側の内側領域（上凸変形部分の範囲）が広くなり、会陰部に上凸変形部分をより適切にフィットさせることができる。したがって、より良好なフィット性を実現可能なナプキン１を提供することが可能となる。
【００７６】
また、本実施の形態においては、長手方向に沿った第一仮想帯状領域Ｒ１であって、該第一仮想帯状領域Ｒ１の幅方向における一端及び他端の位置が、一対の曲げ誘導部１４の一方（第一曲げ誘導部１５）の幅方向における一端及び他端の位置と一致する第一仮想帯状領域Ｒ１と、長手方向に沿った第二仮想帯状領域Ｒ２であって、該第二仮想帯状領域Ｒ２の幅方向における一端及び他端の位置が、一対の曲げ誘導部の他方（第二曲げ誘導部１６）の幅方向における一端及び他端の位置と一致する第二仮想帯状領域Ｒ２の各々には、一方の曲げ誘導部１４及び他方の曲げ誘導部１４よりも後側において、長手方向に延びる線状圧搾部４１が備えられていることとした。
【００７７】
そのため、曲げ誘導部１４よりも後側に剛性が高い部分（固い部分）が位置することとなる。したがって、図９に示すように、曲げ誘導部１４よりも後側のナプキン１の部分がしっかりと面で保たれ（立ち上がった形状が安定的に維持され）、このことによって、一対の曲げ誘導部１４の内側領域（前記上凸変形部分）の立ち上がりを安定させることが可能となる。
【００７８】
また、本実施の形態においては、当該第一仮想帯状領域Ｒ１と第二仮想帯状領域Ｒ２の各々には、一方の曲げ誘導部１４及び他方の曲げ誘導部１４よりも後側において、下着にナプキン１を装着するための装着部（本体部用粘着部２１）が備えられていることとした。
【００７９】
そのため、曲げ誘導部１４よりも後側の部分がしっかりと下着を介して人体に支持されることとなる。したがって、図９に示すように、曲げ誘導部１４よりも後側のナプキン１の部分がしっかりと面で保たれ（立ち上がった形状が安定的に維持され）、このことによって、一対の曲げ誘導部１４の内側領域（前記上凸変形部分）の立ち上がりを安定させることが可能となる。
【００８０】
また、本実施の形態においては、ナプキン１を、長手方向に沿った２つの仮想線で、３つの領域幅が等しくなるように３分割することにより定義される中央側仮想帯状領域１０ｄ、一端側仮想帯状領域１０ｅ、及び、他端側仮想帯状領域１０ｆを備え、
一対の曲げ誘導部１４の後端１４ｂは、それぞれ、一端側仮想帯状領域１０ｅと他端側仮想帯状領域１０ｆに位置していることとした。
【００８１】
仮に、一対の曲げ誘導部１４の一方又は両方の後端１４ｂが、中央側仮想帯状領域１０ｄに位置している場合には、一対の曲げ誘導部１４の内側の内側領域（上凸変形部分の範囲）が狭くなり、当該上凸変形部分を会陰部に適切にフィットさせることが困難になる。これに対し、本実施の形態においては、一対の曲げ誘導部１４の後端１４ｂが、それぞれ、一端側仮想帯状領域１０ｅと他端側仮想帯状領域１０ｆに位置しているため、一対の曲げ誘導部１４の内側の内側領域（上凸変形部分の範囲）が広くなり、会陰部に上凸変形部分をより適切にフィットさせることができる。したがって、より良好なフィット性を実現可能なナプキン１を提供することが可能となる。
【００８２】
また、本実施の形態においては、吸収体１０の肌側に配置される肌側資材（トップシート３とセカンドシート４）の幅方向における伸度強度（トップシート３とセカンドシート４の伸度強度の合計）が、非肌側資材（バックシート５とバックフィルム６）の幅方向における伸度強度（バックシート５とバックフィルム６の伸度強度の合計）よりも小さいこととした。
【００８３】
仮に、肌側資材に係る伸度強度の方が非肌側より大きい場合には（換言すれば、肌側の方が非肌側よりも伸びやすい場合には）、一対の曲げ誘導部１４の内側の内側領域が上凸変形ではなく下凸変形となる可能性が高まる。これに対し、本実施の形態においては、肌側資材に係る伸度強度の方が非肌側より小さいため、より確実に当該内側領域を上凸変形とすることが可能となる。
【００８４】
また、本実施の形態においては、曲げ誘導部１４の後端１４ｂよりも後側、かつ、複数の前記折り目のうちの最も後側の折り目（すなわち、第３折り目Ｆ３）よりも前側においては、ナプキン１の前側から後側に向かうほどナプキン１の幅が拡がる形状を備えていることとした。
【００８５】
図９に表されているように、一対の曲げ誘導部１４の内側の内側領域が上凸変形すると、これと共に、曲げ誘導部１４の後端１４ｂと第３折り目Ｆ３の間の部分も上凸変形する。仮に、ナプキン１の前側から後側に向かうほどナプキン１の幅が拡がる形状を備えていない場合（拡がらず真っ直ぐな形状や狭まる形状である場合）には、曲げ誘導部１４の後端１４ｂと第３折り目Ｆ３の間の部分が上凸変形することにより、この部分の製品幅が短くなり過ぎてしまう。そうすると、経血の横漏れが生じ易くなるし、また、横漏れが実際に生じなくても使用者に不安感を募らせることとなる。これに対し、本実施の形態においては、曲げ誘導部１４の後端１４ｂと第３折り目Ｆ３の間において、ナプキン１の幅が拡がる形状を備えているので、経血の横漏れが生じ難く、また、横漏れが発生する不安感を使用者に生じさせることを抑止することができる。
【００８６】
また、上記実施の形態においては、曲げ誘導部１４により囲まれる領域、より具体的には、曲げ誘導部１４の前端１４ａよりも後側かつ曲げ誘導部の後端１４ｂよりも前側であって一対の曲げ誘導部１４の間に、肌側資材（トップシート３及びセカンドシート４）を貫通し少なくとも吸収体１０まで達する貫通穴４２が備えられていることとした。
【００８７】
そのため、曲げ誘導部１４により囲まれる領域に形成された上凸変形部分が会陰部に適切にフィットした状態で、経血口から会陰部に至った経血を、上凸変形部分に位置する貫通穴４２を経由させて、適切に吸収体１０に吸収させることが可能となる。
【００８８】
また、上記実施の形態において、曲げ誘導部１４の後端１４ｂは、吸収体１０の長手方向における中央位置Ｘ１よりも（後側ではなく）前側に位置することとした。そのため、会陰部に対応する位置に前記上凸変形部分を長手方向においてピンポイントで形成することが可能となる。つまり、後端１４ｂを中央位置Ｘ１よりも後側ではなく前側とすることにより、上凸変形部分を、全体的になだらかな盛り上がりとするのではなく、会陰部にピンポイントでフィットする盛り上がり（コンパクトな盛り上がり）とすることが可能となる。
【００８９】
＝＝＝第二実施形態に係る生理用ナプキン１について＝＝＝
次に、第二実施形態に係るナプキン１について、図１０乃至図１２を用いて説明する。図１０は、第二実施形態に係るナプキン１を厚さ方向の肌側から見た概略平面図である。図１１は、第二実施形態に係るナプキン１を厚さ方向の非肌側から見た概略平面図である。図１２は、第二実施形態に係る吸収体１０を厚さ方向の肌側から見た概略平面図である。
【００９０】
第二実施形態に係るナプキン１の、上述した実施形態（以下、第一実施形態とも呼ぶ）との相違点は、曲げ誘導部１４の形態及び数に関するものである。
【００９１】
先ず、第二実施形態においては、一対の曲げ誘導部１４よりも前側において、一対の該曲げ誘導部１４を幅方向に繋ぐ曲げ誘導部である繋ぎ誘導部１７を有しており、このことにより、以下の優位性が生ずる。
【００９２】
すなわち、一対の曲げ誘導部１４に加えて繋ぎ誘導部１７が設けられていることで（起点となる曲げ誘導部１４が増えることで）、ナプキン１がより一層図９のように折れ曲がりやすくなる。したがって、より確実に、前記上凸変形部分が形成され、ナプキン１のフィット性を向上させることが可能となる。
【００９３】
なお、本実施の形態においては、繋ぎ誘導部１７を、曲げ誘導部１４と同様、吸収体１０の坪量をゼロとすることで実現している。また、繋ぎ誘導部１７は、一対の曲げ誘導部１４を繋ぐだけでなく、後述する長手方向誘導部１８を一対の曲げ誘導部１４に繋いでいる。
【００９４】
また、本実施の形態においては、図１２に示すように、繋ぎ誘導部１７の前端１７ａから曲げ誘導部１４の後端１４ｂまでの長手方向における長さＬ２は、一対の曲げ誘導部１４の一方（第一曲げ誘導部１５）の幅方向外側端１５ａから一対の曲げ誘導部の他方（第二曲げ誘導部１６）の幅方向外側端１６ａまでの幅方向における長さＬ３よりも短くなっている。これは、長手方向の長さＬ２を幅方向の長さＬ３よりも小さくすることにより、会陰部に対応する位置に前記上凸変形部分を長手方向においてピンポイントで形成することを目的としている。つまり、このような寸法関係とすることにより、上凸変形部分を、全体的になだらかな盛り上がりとするのではなく、会陰部にピンポイントでフィットする盛り上がり（コンパクトな盛り上がり）とすることが可能となる。
【００９５】
さらに、第二実施形態においては、長手方向に沿った直線状の曲げ誘導部である長手方向誘導部１８を有している。そして、図１２に示すように、長手方向誘導部又は該長手方向誘導部の仮想延長線（本実施の形態においては、仮想延長線の方。当該仮想延長線を符号Ｌ４で表す）、一対の前記曲げ誘導部の一方又は該一方の仮想延長線（本実施の形態においては、仮想延長線の方。当該仮想延長線を符号Ｌ５で表す）、一対の前記曲げ誘導部の他方又は該他方の仮想延長線（本実施の形態においては、仮想延長線の方。当該仮想延長線を符号Ｌ６で表す）は、一点で交わっている。そして、長手方向誘導部１８が導入されることにより、以下の優位性が生ずる。
【００９６】
すなわち、一対の曲げ誘導部１４に加え長手方向誘導部１８が設けられていることで（起点となる曲げ誘導部１４が増えることで）、ナプキン１がより一層図９のように折れ曲がりやすくなる（長手方向誘導部１８は山折りの曲げ起点となる）。したがって、より確実に、前記上凸変形部分が形成され、ナプキン１のフィット性を向上させることが可能となる。
【００９７】
さらに、第二実施形態においては、図１０に示すように、吸収体１０が、一対の曲げ誘導部１４よりも前側、かつ、前記仮想中心線Ｙ１を挟んで該仮想中心線Ｙ１の両側に、一対の直線状の他の曲げ誘導部（以下、便宜上、前側誘導部１９と呼ぶ）を備えている。一対の前側誘導部１９は、当該仮想中心線Ｙ１を対称軸として線対称となっている。
【００９８】
この前側誘導部１９の前端１９ａは、図１０に示すように、曲げ誘導部１４とは異なり、長手方向において、ウイング部３０の長手方向における中央位置Ｘ２よりも前側に位置している。そして、この一対の前側誘導部１９の幅方向における間隔は、曲げ誘導部１４と同様、ナプキン１の前側から後側へ向かうほど広くなっている。
【００９９】
本実施の形態においては、前側誘導部１９を、曲げ誘導部１４と同様、吸収体１０の坪量をゼロとすることで実現している。また、前側誘導部１９は、経血口から幅方向に移動し当該前側誘導部１９に至った経血を、当該前側誘導部１９を越えて幅方向外側へ行かせないようにしつつ（ブロックしつつ）、長手方向に拡散させる役割を果たすと共に、折れ起点にもなる。
【０１００】
そして、曲げ誘導部１４と前側誘導部１９の傾きを比較した際に、曲げ誘導部１４の前記仮想中心線Ｙ１に対する傾き角は、前側誘導部１９の仮想中心線Ｙ１に対する傾き角よりも大きくなっている。このようにした理由は、以下の通りである。
【０１０１】
すなわち、曲げ誘導部１４の傾き角については、前述の通り、会陰部に対応する位置に上凸変形部分を長手方向においてピンポイントで形成可能とする（上凸変形部分を、全体的になだらかな盛り上がりとするのではなく、会陰部にピンポイントでフィットする盛り上がりとする）観点から、傾き角が大きい方が望ましい。一方で、前側誘導部１９の傾き角については、長手方向において広い範囲で経血をブロック可能とする観点から、傾き角が小さい方が望ましい。したがって、このような傾き角の大小関係とすることにより、上凸変形部分を会陰部にピンポイントでフィットする盛り上がりとしつつ、経血口から幅方向に移動する経血を前側誘導部１９で適切にブロックすることが可能となる。
【０１０２】
また、曲げ誘導部１４の誘導部長手方向と直交する直交方向における該曲げ誘導部１４の幅Ｗ１は、前側誘導部１９の誘導部長手方向と直交する直交方向における該前側誘導部１９の幅Ｗ２よりも大きくなっている。このようにした理由は、以下の通りである。
【０１０３】
すなわち、曲げ誘導部１４の幅Ｗ１については、前述の通り、ナプキン１に谷折りが形成される際に、吸収体１０同士がぶつかり合うことを適切に防止して、一対の曲げ誘導部１４の内側の内側領域に上凸変形部分（盛り上がり）を確実に形成可能とする観点から、幅Ｗ１は大きい方が望ましい。一方で、前側誘導部１９の幅Ｗ２については、前側誘導部１９を起点とした折れ度合いが過度になり過ぎると、経血口から幅方向に移動し前側誘導部１９に至った経血が、当該前側誘導部１９を越えて幅方向外側へ漏れてしまう可能性が高くなるので、幅Ｗ２は小さい方が望ましい。したがって、このような幅の大小関係とすることにより、一対の曲げ誘導部１４の内側の内側領域に上凸変形部分（盛り上がり）を確実に形成しつつ、経血口から幅方向に移動し前側誘導部１９に至った経血が、当該前側誘導部１９を越えて幅方向外側へ漏れてしまうことを抑制することが可能となる。
【０１０４】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。例えば、以下に示すような変形が可能である。
【０１０５】
上記実施の形態においては、ショーツ等の下着に装着して使用される吸収性物品として生理用ナプキン１を例に挙げて説明したが、これに限定されるものではない。例えば、軽失禁パッドも下着に装着して使用され、これも本発明の範疇である。
【０１０６】
また、上記実施の形態においては、曲げ誘導部１４、繋ぎ誘導部１７を、吸収体１０の坪量をゼロとすることで実現していたが、前記所定の坪量よりも低ければよく、必ずしもゼロである必要は無い。すなわち、曲げ誘導部１４と隣接する吸収体１０の部分よりも坪量が低ければよい。また、坪量を減らすことで曲げ誘導部１４を実現することに限定されるものではなく、曲げ誘導部１４を圧搾（エンボス加工）部で実現することとしてもよい。
【０１０７】
また、上記実施の形態においては、吸収性コア１２の肌側面及び非肌側面が一枚のシート部材１１で包むようにして覆われていることとしたが、これに限定されるものではなく、例えば、吸収性コア１２が上層シートと下層シートの二枚のシートで覆われていることとしてもよい。
【０１０８】
また、上記実施の形態においては、トップシート３とは異なるサイドシート２によってウイング部３０が形成されていたが、何等これに限らない。例えば、トップシート３（及びバックシート５）が、長手方向中央部の領域において幅方向外側に延出することによって、ウイング部３０が形成されているのであっても良い。
【符号の説明】
【０１０９】
１  生理用ナプキン（ナプキン）、
２  サイドシート、３  トップシート、４  セカンドシート、
５  バックシート、６  バックフィルム、
１０  吸収体、１０ａ  高坪量部、
１０ｂ  後縁、１０ｃ  側縁、
１０ｄ  中央側仮想帯状領域、
１０ｅ  一端側仮想帯状領域、
１０ｆ  他端側仮想帯状領域、
１１  シート部材、１２  吸収性コア、
１４  曲げ誘導部、１４ａ  前端、１４ｂ  後端、
１５  第一曲げ誘導部、１５ａ  幅方向外側端、
１６  第二曲げ誘導部、１６ａ  幅方向外側端、
１７  繋ぎ誘導部、１７ａ  前端、
１８  長手方向誘導部、
１９  前側誘導部、１９ａ  前端、
２０  ナプキン本体部、
２１  本体部用粘着部、２１ａ  前側本体部用粘着部、
２１ｂ  後側本体部用粘着部、２１ｃ  後端本体部用粘着部、
３０  ウイング部、３１  ウイング部用粘着部、
４０  圧搾部、４１  線状圧搾部、
４２  貫通穴、
Ｆ１  第１折り目、Ｆ２  第２折り目、Ｆ３  第３折り目、
Ｌ１  仮想延長線、Ｌ２  長さ、Ｌ３  長さ、
Ｌ４  仮想延長線、Ｌ５  仮想延長線、Ｌ６  仮想延長線、
Ｒ１  第一仮想帯状領域、Ｒ２  第二仮想帯状領域、
Ｗ１  幅、Ｗ２  幅、
Ｘ１  中央位置、Ｘ２  中央位置
Ｙ１  仮想中心線、Ｙ２  仮想線、Ｙ３  仮想線
【図１】
2020000664.tif 000003
【図２】
2020000664.tif 000004
【図３】
2020000664.tif 000005
【図４】
2020000664.tif 000006
【図５】
2020000664.tif 000007
【図６】
2020000664.tif 000008
【図７】
2020000664.tif 000009
【図８】
2020000664.tif 000010
【図９】
2020000664.tif 000011
【図１０】
2020000664.tif 000012
【図１１】
2020000664.tif 000013
【図１２】
2020000664.tif 000014